(57)【特許請求の範囲】
【請求項１】
複数の柱部材とそれら柱部材同士を連結する梁部材とによって、パネル組付用の矩形状の枠部分が区画形成され、その枠部分の内部に、中空の矩形形状に形成されたパネルが組付けられて、乾燥又は貯蔵のために穀物を貯留する貯留空間の側壁部が構成されている穀物貯留設備であって、
前記パネルが、その上下縁部を非連結状態とし、その左右縁部を前記柱部材に締結手段にて連結する形態で、前記枠部分に組付けられ、
前記パネルの上下縁部と、それに隣接する隣接物としての梁部材又はパネルとの間を、それらが前記貯留空間の内外方向で相対移動することを許容する状態でシールするシール手段が設けられている穀物貯留設備。
【請求項２】
前記枠部分が、複数枚の前記パネルを上下方向に並べて取り付けるように区画形成されて、その枠部分の内部に、前記パネルが、上下方向に並ぶ状態で組付けられている請求項１記載の穀物貯留設備。
【請求項３】
前記パネルとして、同仕様のものを用いるように構成されている請求項２記載の穀物貯留設備。
【請求項４】
隣接する前記柱部材の間に、複数の前記枠部分が、上下方向に並ぶ状態で、且つ、各枠部分において上下に並べて取り付け可能なパネル数を、上方側のものの方が下方側のものよりも多くなる状態で形成されて、それら枠部分の内部に、前記パネルが、上下方向に並ぶ状態で組付けられている請求項３記載の穀物貯留設備。
【請求項５】
前記シール手段が、金属製の帯板状で、且つ、幅方向の両端側に貼着部を備えかつ両貼着部の間にそれらが相対移動することを許容する融通部を備える状態に形成された帯状シートにて構成されて、その帯状シートが、前記パネルの上下縁部とそれに隣接する前記隣接物とに亘り、前記パネルの上下縁部の長手方向に沿って貼着されている請求項１〜４のいずれか１項に記載の穀物貯留設備。
【請求項６】
前記締結手段が、前記パネルの左右縁部に設けたフランジ部と前記柱部材に設けたフランジ部とに亘り貫通装着されるネジ式締結具を用いて、締結するように構成されている請求項１〜５のいずれか１項に記載の穀物貯留設備。
【請求項７】
前記貯留空間が、平面視にて矩形状となるように構成され、その貯留空間の角部を非貯留状態にするために仕切る板状仕切り体が、隣接する壁部に亘る状態で、かつ、壁部の高さ方向全体に位置する状態で設けられている請求項１〜６のいずれか１項に記載の穀物貯留設備。
【発明の詳細な説明】
【０００１】
【発明の属する技術分野】
本発明は、複数の柱部材とそれら柱部材同士を連結する梁部材とによって、パネル組付用の矩形状の枠部分が区画形成され、その枠部分の内部に、中空の矩形形状に形成されたパネルが組付けられて、乾燥又は貯蔵のために穀物を貯留する貯留空間の側壁部が構成されている穀物貯留設備に関する。
【０００２】
【従来の技術】
上記構成の穀物貯留設備において、従来では、例えば、特開２０００−１６８８８６号公報に示される構成のものがあった。
すなわち、柱部材と梁部材とによって矩形状の枠部分が区画形成されて、その枠部分の内部に中空の矩形形状に形成されたパネルが組付けられのであるが、パネルが組み付けられた状態では、パネルは左右両側並びに上下両側の縁部夫々が、前記枠部分の内周部に設けられた保持部によって、厚み方向両側部が挟持保持される構成となっており、パネルは、柱部材と梁部材との連結箇所に近接する４隅の角部において、柱部材及び梁部材夫々に対してネジ式締結手段にて固定連結される構成となっていた。
【０００３】
説明を加えると、柱部材と梁部材とが夫々、外形が四角柱状に形成され、前記枠部分の内周部を構成する各面に、断面が略コ字形のパネル保持用の受け部を形成するように一対のＬ字形部材を溶接固定して前記保持部を構成するとともに、前記角部において、パネルを保持している前記保持部を貫通する状態でボルト・ナットによるネジ式締結手段にて締め付け固定する構成となっていた。
【０００４】
つまり、パネルの四隅を柱部材及び梁部材夫々に対してネジ式締結手段にて固定連結される構成として、乾燥又は貯蔵のために多量の穀物を貯留する場合に、多量に貯留される穀物の荷重や地震等による水平方向の荷重に対しても充分な強度を有するように構成され、しかも、パネルの外周部、すなわち、パネルの左右縁部だけでなくパネルの上下縁部も、断面が略コ字形の前記保持部によって挟持保持されて、貯留空間の内外方向に移動することが阻止されるとともに、貯留される穀物の荷重によってパネルの上下縁部と梁部材との間に隙間が発生してその隙間に穀物が詰まったり、穀物が排出された後にも穀物が堆積して残留する不利が生じないようにしていた。
【０００５】
【発明が解決しようとする課題】
しかしながら、上記従来構成においては、次のような不利があり未だ改善の余地があった。
すなわち、上記構成によれば、前記枠部分にパネルを組み付ける場合には、その枠部分の一辺、例えば、上方側に位置する梁部材が存在する部分を、開放状態として、その開放された箇所から、パネルの左右方向両側部が、枠部分の内周部のうち左右両側部に位置する前記保持部にて挟持されるように嵌め込み装着させた状態で、下方側に向けてパネルをスライドさせて差し込み挿入するとともに、パネルが枠部分内に差し込み装着された後に、上方側に位置する梁部材を柱部材に連結してパネルの全周を挟持保持する状態にさせ、パネルの四隅の角部をボルト・ナットによるネジ式締結手段にて柱部材及び梁部材に連結させることになる。
【０００６】
このように、パネルを、内周部における左右両側の保持部に沿わせて差し込み装着する構成とした場合には、パネルを取付け対象となる枠部分よりも上方側の高い位置に持ち上げ、パネルの左右方向両側部を、枠部分の左右両側部に位置する略コ字形の保持部に対して位置合わせしながら嵌め込んだ後にスライドさせて差し込むという煩わしい作業が必要であり、組付け作業が行い難いものとなる不利があった。
【０００７】
本発明は、かかる点に着目してなされたものであり、その目的は、貯留される穀物の荷重や水平方向の荷重に対しても充分な強度を有するとともに、貯留される穀物の荷重によってパネルの上下縁部とそれに隣接する部材との間に隙間が発生してその隙間に穀物が詰まったり、穀物が排出された後にも穀物が堆積して残留するといった不利が生じないものでありながら、組付け作業性を向上させることが可能となる穀物貯留設備を提供する点にある。
【０００８】
【課題を解決するための手段】
請求項１によれば、複数の柱部材とそれら柱部材同士を連結する梁部材とによって、パネル組付用の矩形状の枠部分が区画形成され、その枠部分の内部に、中空の矩形形状に形成されたパネルが組付けられて、乾燥又は貯蔵のために穀物を貯留する貯留空間の側壁部が構成されている穀物貯留設備において、前記パネルが、その上下縁部を非連結状態とし、その左右縁部を前記柱部材に締結手段にて連結する形態で、前記枠部分に組付けられ、前記パネルの上下縁部と、それに隣接する隣接物としての梁部材又はパネルとの間を、それらが前記貯留空間の内外方向で相対移動することを許容する状態でシールするシール手段が設けられていることを特徴とする。
【０００９】
すなわち、柱部材と梁部材とによって区画形成された枠部分にパネルを組み付ける場合、パネルの上下縁部は非連結状態としながら、パネルの左右縁部を柱部材に締結手段にて連結することによって組付けられることになる。そして、パネルの上下縁部と、それに隣接する隣接物としての梁部材又は他のパネルとの間は、シール手段によって、それらが貯留空間の内外方向で相対移動することを許容する状態でシールされることになる。
【００１０】
つまり、柱部材と梁部材とによって区画形成された枠部分にパネルを組み付ける構成であり、左右両側の柱部材とパネルの左右縁部とが連結されているので、貯留される穀物の荷重に対しては勿論、水平方向の荷重に対しても、充分な強度を有するものとなる。そして、パネルは、その左右縁部が柱部材に連結され、上下縁部は非連結状態となっているので、このパネルを組み付ける場合には、例えば、柱部材と梁部材とが互いに連結されて既に矩形状の枠部分が形成されている状態から、この枠部分に対して横外側方からパネルを装着させて締結作業を行うことが可能であり、例えば、従来構成のように高い位置から差し込み挿入するといった煩わしい作業が不要であり、低い位置にてパネルをそのまま柱部材に締結する作業を行うことで対応でき、組み付け作業が行い易いものとなる。
【００１１】
しかも、パネルの上下縁部とそれに隣接する隣接物としての梁部材又はパネルとの間は、貯留空間の内外方向で相対移動することを許容する状態でシールされるので、例えば、貯留される穀物の荷重によって当該パネルの下側縁部が貯留空間の内外方向に少し撓み変形しても、このパネルとそれに隣接する隣接物との間にて、穀物が挟み込まれたり、穀粒の排出後もその箇所に穀物が残ったりするといった不利が生じることがない。
【００１２】
従って、貯留される穀物の荷重や水平方向の荷重に対しても充分な強度を有するとともに、貯留される穀物の荷重によってパネルの上下縁部とそれに隣接する部材との間に隙間が発生してその隙間に穀物が詰まったり、穀物が排出された後にも穀物が堆積して残留するといった不利が生じないものでありながら、組付け作業性を向上させることが可能となる穀物貯留設備を提供できるに至った。
【００１３】
請求項２によれば、請求項１において、前記枠部分が、複数枚の前記パネルを上下方向に並べて取り付けるように区画形成されて、その枠部分の内部に、前記パネルが、上下方向に並ぶ状態で組付けられていることを特徴とする。
【００１４】
前記枠部分に複数枚のパネルが上下方向に並べて取り付けられるので、梁部材同士の間隔を狭くして梁部材の個数を多くさせることなく、１個のパネルの外形形状を小形のもので済ませることができ、パネルを小型軽量化させることが可能で、それだけパネルの組み付け作業がさらに行い易いものなり、請求項１を実施するのに好適な手段が得られる。
【００１５】
請求項３によれば、請求項２において、前記パネルとして、同仕様のものを用いるように構成されていることを特徴とする。
【００１６】
従って、パネルとして、同仕様のものを用いるので、複数種の仕様のパネルを設ける場合に比べて、パネルの作製コストを低減できるとともに、組み付け作業を行うときに別仕様のものと取り違えて取付けるといった不利もなく、パネルの組み付け作業がさらに向上することになり、請求項２を実施するのに好適な手段が得られる。
【００１７】
請求項４によれば、請求項３において、隣接する前記柱部材の間に、複数の前記枠部分が、上下方向に並ぶ状態で、且つ、各枠部分において上下に並べて取り付け可能なパネル数を、上方側のものの方が下方側のものよりも多くなる状態で形成されて、それら枠部分の内部に、前記パネルが、上下方向に並ぶ状態で組付けられていることを特徴とする。
【００１８】
すなわち、上方側の枠部分は下方側の枠部分よりも取り付け可能なパネル数が多いので、梁部材の上下間隔が狭くなり、上方側では梁部材の間隔を広くなる。従って、穀物が貯留されることにより大きな荷重が掛かる貯留空間の下方側では、梁部材の上下間隔を狭くして荷重を確実に支持するようにしながら、前記荷重が少ない貯留空間の下方側では梁部材の上下間隔が広くなり、梁部材の個数を少なくさせることで構成の簡素化を図ることが可能となり、請求項３を実施するのに好適な手段が得られる。
【００１９】
請求項５によれば、請求項１〜４において、前記シール手段が、金属製の帯板状で、且つ、幅方向の両端側に貼着部を備えかつ両貼着部の間にそれらが相対移動することを許容する融通部を備える状態に形成された帯状シートにて構成されて、その帯状シートが、前記パネルの上下縁部とそれに隣接する前記隣接物とに亘り、前記パネルの上下縁部の長手方向に沿って貼着されていることを特徴とする。
【００２０】
すなわち、帯状シートにて構成されて幅方向の両端側に備えた貼着部を、パネルの上下縁部とそれに隣接する隣接物との夫々に、パネルの上下縁部の長手方向に沿って貼着されて、両貼着部の間に形成された融通部の作用により、パネルの上下縁部とそれに隣接する隣接物とが、貯留空間の内外方向で相対移動することを許容する状態でシールされることになる。しかも、シール手段が金属製の帯板状にて構成されているので、例えば、合成樹脂製のシール等のように経年変化によって表面が劣化して短期間の使用で破損したりするおそれが少なく、長期間にわたり安定したシール性能を維持できる。
【００２１】
従って、長期間にわたり安定したシール性能を維持することが可能となる金属材を利用するものでありながら、パネルの上下縁部とそれに隣接する隣接物との貯留空間の内外方向で相対移動を許容できるものとなり、請求項１〜４のいずれかを実施するのに好適な手段が得られる。
【００２２】
請求項６によれば、請求項１〜５において、前記締結手段が、前記パネルの左右縁部に設けたフランジ部と前記柱部材に設けたフランジ部とに亘り貫通装着されるネジ式締結具を用いて、締結するように構成されていることを特徴とする。
【００２３】
従って、締結手段として、パネルの左右縁部と柱部材とを例えば溶接にて固着して組み付けるものでは、組み立て作業に多くの手間を要するのに比べて、ネジ止めによって極力少ない手間で組み立てることができ、さらに、複数のパネルのうち一部のパネルの交換や修理を行う場合であっても比較的容易に作業を行うことができ、請求項１〜５を実施するのに好適な手段が得られる。
【００２４】
請求項７によれば、請求項１〜６において、前記貯留空間が、平面視にて矩形状となるように構成され、その貯留空間の角部を非貯留状態にするために仕切る板状仕切り体が、隣接する壁部に亘る状態で、かつ、壁部の高さ方向全体に位置する状態で設けられていることを特徴とする。
【００２５】
平面視にて矩形状の貯留空間における角部においては、夫々の壁部を構成するパネルと柱部材とが連結されており、この連結箇所においては、穀物が入り込んだり堆積し易い凹凸部が発生するおそれがあるが、このような貯留空間の角部を、板状仕切り体によって仕切ることで非貯留状態にするようにしているのである。従って、穀物の詰まりや堆積等が生じにくい状態で穀物を貯留させることが可能となる。
【００２６】
又、この種の穀物貯留設備においては、穀物を攪拌処理する回転式の攪拌手段を設ける場合があり、このような攪拌手段は、矩形状の貯留空間の角部は攪拌し難いものであるが、上述したように非貯留状態にすることによって、攪拌し難い領域を少なくさせることが可能になるといった利点もある。
【００２７】
【発明の実施の形態】
以下、本発明に係る穀物貯留設備の実施の形態を、図面に基づいて説明する。図１に示すように、穀物処理設備は、納入者が穀物の荷受け処理を行う荷受け部Ａ、穀物を貯留するとともに乾燥処理する貯留部Ｄ、穀物の籾摺調整を行う籾摺調整部Ｅ及び出荷処理を行う出荷部Ｆ等を備えて構成されている。ここで、前記貯留部Ｄは、側部周囲を囲う側壁部と床部とにより穀物貯留用の空間としての貯留空間を形成した貯留体としての貯留ビン１を水平方向に複数並べて構成されている。
【００２８】
荷受け部Ａは、穀物を受け入れる荷受けホッパー２１、荷受けホッパー２１からの穀物を横送りする荷受けコンベア２２、穀物を揚送する第１揚送コンベア２３、穀物を一旦貯留する流量調整タンク２４、穀物から藁屑等の異物を除去するための粗選機２５、精選処理時には粗選機２５から排出される穀物を精選別する精選機２６、荷受け処理時には粗選機２５から排出される穀物を計量し、精選処理時には精選機２６から排出される穀物を計量する荷受け用計量機２７、粗選機２５から排出される枝梗付き籾等から枝梗等を除去する脱芒機２８、精選機２６から排出される脱ぷ米を貯留する脱ぷ米タンク２９等を備えている。
又、籾摺調整部Ｅには、調整タンク６１、籾摺調整装置６２、石抜機６３等が備えられ、出荷部Ｆには、計量タンク６４、出庫用計量機６５、自動給袋機６６等が備えられている。
前記貯留部Ｄの上方側には、荷受け用計量機２７から排出され第２揚送コンベア２によって揚送され、さらに、横送りコンベア３によって横送りされた穀物を貯留ビン１の並び方向に沿って搬送するとともに搬送する穀物を貯留部Ｄに上部側から供給するように構成され、且つ、搬送する穀物を供給する穀物供給位置を穀物搬送方向に沿って位置変更調整自在に構成された穀物供給手段としての移動ベルトコンベア４が設けられている。従って、この移動ベルトコンベア４によって貯留ビン１の並び方向に沿って搬送された穀物は、その先端部に備えられた分配器４ａによって左右に分配させた状態で貯留空間内に供給されることになる。貯留ビン１のいずれかに穀物が貯留されることになる。そして、貯留ビン１に貯留されて乾燥処理された穀物は、各下端部の排出口６９から後述のように送風によって排出されて横送りコンベア７０及び各搬送コンベアにより、籾摺調整部Ｅに供給され、更に、出荷部Ｆを通して出荷されるようになっている。尚、貯留部Ｄの上方側部分は屋根Ｇで覆われる構成となっている。
【００２９】
次に各貯留ビン１の構成について説明する。
図２に示すように、前後方向に５個の貯留ビン１が並列配置されて１組の乾燥貯留部が構成され、その乾燥貯留部が２組並列配置される状態で設けられている。そして、図１２に示すように、各組の貯留ビン１の夫々に対して多孔状で通気可能な床部３１の下方側から導入して貯留ビン１の上部から排出するように通風させる送風機３２が設けられ、送風機３２による通流空気を、各貯留ビン１全ての床部３１に導入する状態と、複数の貯留ビン１のうちから選択された領域の下方側に導入する状態とに切り換え自在に構成されている。又、貯留ビン１夫々の上部に対して排気作用する排風機３３を設けている。
【００３０】
詳述すると、貯留ビン１の床部３１と下方側の底部３７との間を隔壁３８により上下二つに仕切り、隔壁３８と底部３７との間を、隔壁３９により貯留ビン１の並設方向と直交する方向に仕切ってある。隔壁３８の下方に隔壁３９によって仕切られる一方の空間は、送風機３２からの空気を床部３１の下方側から貯留空間に導入するための導風路４２を形成している。導風路４２を形成する空間と、貯留ビン１内において床部３１と隔壁３８とによって仕切られる空間との間には、送風機３２からの送風をその貯留ビン１内に供給する連通状態と、送風を遮断する状態とに切り換えるための通風制御用ダンパ４６を設けてある。又、隔壁３８の下方に隔壁３９によって仕切られる一方の空間には、穀粒排出用の横送りコンベア７０を配置してある。
【００３１】
そして、図１３に示すように、貯留ビン１における穀物貯留空間の床部３１は、金属板を打ち抜いて多数の通気孔３１ａを形成するとともに、打ち抜きの際に舌片３１ｂが形成され、下方側から供給される空気を上方側に通過させるとともに、排出口６９側に向きを変更して送風するように構成している。尚、前記各排出口６９の下方側には、その排出経路を開閉操作自在な排出用シャッター３６が備えられている。
【００３２】
前記各貯留ビン１の内部の貯留空間には、穀物を上下方向に移動しながら攪拌する攪拌手段１０を設けてある。この攪拌手段１０は、上下方向に沿う軸芯周りで回転しながら前記貯留空間に貯留される穀物を攪拌処理するスクリュー式の攪拌装置としての攪拌スクリュー１１が平面視にて略直交する２方向夫々に移動操作自在に設けられて構成されている。
詳述すると、図１６、図１７に示すように、支持枠１２にて上下方向に沿う軸芯周りで回転自在に一対の攪拌スクリュー１１が支持されるとともに、この支持枠１２が貯留ビン１の並設方向（以下、Ｙ方向という）並びにそれと略直交する方向（以下、Ｘ方向という）夫々に沿って移動操作自在に構成されている。つまり、支持枠１２にＸ方向に沿って適宜間隔をあけて一対の攪拌スクリュー１１が上下方向に沿う軸芯周りで回転自在に支持されるとともに、各攪拌スクリュー１１を各別に回転駆動する回転用電動モータＭ１が夫々設けられている。又、前記支持枠１２の上部側ガイド部１２ａが、Ｘ方向に沿って設けられる長尺状の支持レール１４にガイドローラ１５にて移動操作自在に支持されるとともに、第１移動用電動モータＭ２の動力が減速機構１６を介して駆動輪１７を駆動することで支持レール１４上をＸ方向に沿って移動するように構成されている。
一方、支持レール１４は、長手方向両端側に備えられたガイドローラ１８がＹ方向に沿って設けられる長尺状の固定ガイドレール１９に転動案内される構成となっており、第２移動用電動モータＭ３の動力が減速機構２０を介してガイドローラ１８を駆動することにより、支持レール１４、支持枠１２、及び、各攪拌スクリュー１１の夫々が一体的にＹ方向に沿って移動するように構成されている。従って、回転用電動モータＭ１を駆動させて各攪拌スクリュー１１夫々を回転させながら、第１移動用電動モータＭ２及び第２移動用電動モータＭ３を正逆方向に駆動させて、貯留空間Ｄｉの略全域にわたって貯留されている穀物を上下方向に攪拌移動させることができるように構成してある。
【００３３】
尚、前記固定ガイドレール１９に沿うように、図示しない点検用の入り口から作業者が入り込んで歩行移動することが可能なようにメンテナンス用の通路ｔｕが形成されるとともに、前記支持枠１２には前記上部側ガイド部１２ａから下方側にむけてハシゴ１２ｂが形成され、その下部には点検用架台１２ｃが連設されている。従って、作業者は、前記通路ｔｕからハシゴ１２ｂを利用して点検用架台１２ｃまで移動し、この点検用架台１２ｃにて前記回転用電動モータＭ１等の点検作業を行えることになる。
【００３４】
そして、上記構成の各貯留ビン１は、夫々、図４、図５に示すように、貯留空間を、移動ベルトコンベア４による穀物搬送方向、すなわち、前記Ｙ方向に沿って並ぶ２つの貯留領域Ｑ１，Ｑ２に分けて使用できるように、２つの貯留領域Ｑ１，Ｑ２の夫々に対応させて排出口６９を備えさせるように構成され、２つの貯留領域Ｑ１，Ｑ２の夫々に対応させて攪拌手段１０が設けられ、各攪拌手段１０における移動体としての支持レール１４が、貯留部の上方側に位置して前記Ｙ方向に沿って往復移動操作自在に設けられ、移動ベルトコンベア４による穀物搬送方向と交差する方向、すなわち、前記Ｘ方向に並ぶ状態で一対の攪拌スクリュー１１（スクリュー式の攪拌装置）が備えられる構成となっている。しかも、前記２つの貯留領域Ｑ１，Ｑ２の床部３１に対して各別に前記通風制御用ダンパ４６が備えられるとともに、送風機３２からの送風を選択的に供給させることができるように通風経路が構成されている。
【００３５】
図１４、図１５に示すように、各送風機３２、排出用シャッター３６、ダンパ４６、各電動モータ等の作動を制御する制御装置５３と、作動内容を指令する操作盤５４とが備えられている。そして、制御装置５３は、切換スイッチ５４ａにて通風モードが指令されると、図１５に示すように、全ての排出用シャッター３６を閉じ状態とし、選択スイッチ５４ｂにて選択された貯留ビン１に対して通風制御用ダンパ４６を開状態とするとともに、送風機３２、各電動モータを作動させて、通風乾燥が行われる。そして、排出モードが指令されると、図１４に示すように、選択スイッチ５４ｃにて選択された貯留ビン１の排出用シャッター３６及び通風制御用ダンパ４６のみ開状態として、他の全ての排出用シャッター３６及び通風制御用ダンパ４６を閉じ状態とする。このようにして、送風機３２の通流空気を選択された貯留ビン１の床部３１の下方側から導入して、その空気によって穀物を排出口側に流動させることにより、貯留ビン１内の穀物を全て排出することができる。
しかも、その排出モードにおいては、切換指令スイッチ５４ｄにより、選択された一つの貯留ビン１における一対の排出口６９から夫々同時に排出させる両側排出状態と、一対の排出口６９のうちのいずれか一方の排出口６９からのみ排出させる片側排出状態のうちのいずれかを選択することができるように構成されている。図１４では、第１番目の貯留ビン１が片側排出状態であることを示している。
このようにして、送風機３２による通流空気を、２つの貯留領域Ｑ１，Ｑ２に供給して均等に穀物を排出させる状態と、１つの貯留領域のみに集中して供給することで排出作動を能率よく行わせる状態とを選択することができ、使用状況に応じて使い分けができる。
【００３６】
しかも、貯留ビン１の内部における床面の上部近くの空間を、２つの貯留領域Ｑ１，Ｑ２に対応させて仕切る仕切り体１００が設けられており、前記片側排出状態において、他方側の排出口に向けて誤って搬送されるなどの不利を回避して、極力無駄の無い状態で搬送させることができるようにしている。
【００３７】
次に、上記貯留ビン１の各穀物の貯留空間Ｄｉを形成するための構成について説明する。上記貯留ビン１は、図５、図６に示すように、複数の柱部材５とそれら柱部材５同士を連結する梁部材６とによって、パネル組付用の矩形状の枠部分が区画形成され、その枠部分の内部に中空の矩形形状に形成されたパネルＰが組付けられて、乾燥又は貯蔵のために穀物を貯留する貯留空間の側壁部が構成されている。すなわち、柱部材５、梁部材６及びパネルＰが設置箇所において組付けられて、それらによって平面視で略四角形状の周壁部が形成されるとともに、周壁部にて囲まれる領域に乾燥又は貯蔵のために穀物を貯留する穀物の貯留空間Ｄｉが形成される。尚、各貯留空間Ｄｉの下方側に、前記乾燥用の送風を行う導風路４２等を配置させるための床枠部ＵＫが形成される。
【００３８】
ここで、前記枠部分にパネルＰを組み付けた状態では、パネルＰに対しては、上下方向並びに横方向での荷重がほとんどかからず、貯留穀物によるパネル厚さ方向での圧力だけがかかるようにして、後述のように中空状態にして軽量化したパネルＰでも、要求される強度を充分に確保できるようにしてある。尚、隣接して配置された複数の貯留空間Ｄｉ同士で、柱部材５、梁部材６及びパネルＰが共用されている。
【００３９】
次に、図７、図８に基づいて、パネルＰについて説明する。
このパネルＰは、パネル厚さ方向に間隔を隔てて位置して平坦面状の一対のパネル表面部を形成するように矩形中空状に構成されている。つまり、横断面形状が略コの字形になるように屈曲成形した一対の板状部成形材７同士を、平坦状のパネル形成面７ａが外方側に位置する状態で張り合わせて、中空状になるように構成されている。
説明を加えると、板状部成形材７の外周部を横断面形状が略コの字形になるように屈曲成形して屈曲部７ｂと鍔部７ｃとで形成される内部空間に、上下方向に４個、左右方向に３個の断面形状が略Ｌ形の補強材８を、適宜間隔をあけて配置して溶接接続してあり、板状部成形材７に補強材８を溶接した状態では、補強材８の外方側の面が板状部成形材７の鍔部７ｃの外方側の面と略同一面を形成するとともに、補強材８が板状部成形材７の両側の鍔部７ｃ間の略全長にわたる状態となるようにしてある。
そして、一対の板状部成形材７を、夫々の鍔部７ｃ同士、補強材８同士夫々を当付けた状態で対向させて、一対の板状部成形材７夫々の屈曲部７ｂ同士を溶接接続して１枚の矩形中空状のパネルＰを構成してある。
【００４０】
そして、パネルＰは、左右両側縁部において、パネルＰの外周部から外方側に向けて突出するように固定状態でフランジ部としての取付け用板材７１が設けられる構成としている。つまり、断面が略Ｔ字形となるように取付け用板材７１と取付け用の台座７２と溶接固定され、台座７２が矩形中空状のパネルの左右両側の端面部に溶接固定され、取付け用板材７１がパネルＰの外周部から左右横外方側に向けて突出するように固定状態で設けられる構成となっている。この取付け用板材７１は複数のボルト挿通孔７３が形成されている。
尚、前記パネルＰは、その中空部内部に補強材８を縦方向並びに横方向に略等間隔で並設してあり、そのことによって、パネル幅方向の全体において同じ強度になるように補強するように構成してある。上記補強材８の個数は必要とする強度に応じて適宜変更してもよい。
【００４１】
図５、図６、図９を参照しながら、柱部材５、梁部材６、及び、パネルＰの組み付け構造について説明を加える。尚、貯留空間の床面の下方側には、上記したような導風路４２や横送りコンベア７０等の設置用の空間を確保する床枠部ＵＫを形成しながら、各柱部材５や梁部材６及びパネルＰを順次組み付けていくことになる。このような組み付け作業は、設備の外周側に位置させた状態で高い位置での締結作業を行えるようにするために作業用の足場が組まれることになる。
各柱部材５は、夫々、横断面形状が角型中空状となる角筒材、具体的には、引き抜き加工による市販の角形鋼管が予め工場にて適宜長さに切断して加工された角筒材にて構成され、床枠部ＵＫの上部側から上端部まで上下方向に沿って連なる一体形状として構成されている。又、各梁部材６は、各柱部材５を横方向に連結するように各パネルＰの横方向の幅にほぼ対応する長さに形成され、上下方向中間部及び上方箇所の夫々に位置する梁部材６は、長手方向中間部分が、柱部材５と同様な断面形状が角型中空状となる角筒材からなる角筒部６ａにて構成され、長手方向両端側箇所は、断面形状がＨ形の鋼材からなるＨ形部６ｂにて構成され、それらが予め溶接にて連結されて構成されている。尚、床面を支持する部材を兼ねる下側の梁部材６は、全域にわたりＨ形の鋼材にて構成されている。
【００４２】
図９に示すように、柱部材５の外周面における梁部材６との連結箇所には、横側方に向けて突出する状態で縦向きの連結板７５が溶接固定され、梁部材６のＨ形部６ｂと連結板７５とをボルト連結することで、柱部材５と梁部材６とが連結される構成としている。又、矩形状の枠部分の内周面における左右両側部を構成する柱部材５の外周面には、枠部分の内方側に向けて突出する状態で枠部分の上下方向ほぼ全域にわたり、フランジ部としての縦向きの取付板７７が溶接固定されている。この取付板７７には、パネル締結用の複数のボルト挿通孔７８が形成されている。
そして、前記パネルＰが、その上下縁部を非連結状態とし、その左右縁部を柱部材５に締結手段にて連結する形態で枠部分に組付けられ、前記枠部分が、複数枚のパネルＰを上下方向に並べて取り付けるように区画形成されて、その枠部分の内部に、パネルＰが、上下方向に並ぶ状態で組付けられる構成であり、複数のパネルＰとしては全て同仕様のものが用いられる。そして、隣接する柱部材５同士の間には上下方向に並べて２つの枠部分が形成されて、各枠部分において上下に並べて取り付け可能なパネル数を、上方側のものの方が下方側のものよりも多くなる状態で形成されて、それら枠部分の内部に、パネルＰが、上下方向に並ぶ状態で組付けられている。
すなわち、床面の支持部材を兼ねる最下段の梁部材６と中間部の梁部材６との間には、３枚のパネルＰが上下に並べて取り付けられ、中間部の梁部材６と上部側の梁部材６との間には４枚のパネルＰが上下に並べて取り付けられている。
尚、図５においては、平面視で矩形状の貯留空間を形成する側壁部における周囲４面のうちの１面（パネル、中間の柱部材等）を切り欠いた状態を示している。
【００４３】
パネルＰの取付け構造について説明すると、図１０に示すように、パネルＰの左右両側部における取付け用板材７１を、柱部材５に取付けられている取付板７７とを重なるように当て付けた状態で、夫々に形成された複数のボルト挿通孔７３、７８にわたって貫通装着されるネジ式締結具としてのボルト・ナット７９にて締め付けることで、柱部材５に対してパネルＰを連結固定する構成としている。
【００４４】
そして、貯留空間内部において、図１８に示すように、パネルＰの上下縁部と、それに隣接する隣接物としての梁部材６又は他のパネルＰとの間を、それらが貯留空間の内外方向で相対移動することを許容する状態でシールするシール手段Ｓが設けられている。
このシール手段Ｓは、金属製の帯板状で、且つ、幅方向の両端側に貼着部を備えかつ両貼着部の間にそれらが相対移動することを許容する融通部を備える状態で形成された帯状シートにて構成されており、その帯状シートＳが、パネルＰの上下縁部とそれに隣接する隣接物、つまり、他のパネルＰや梁部材６とに亘り、パネルＰの上下縁部の長手方向に沿って貼着されている。
説明を加えると、シール手段Ｓは、ステンレス材の薄い帯板状のシールにて構成され、その片方の面には、幅方向の両端側に接着材が塗布された貼着部ｔが形成され、それらの両貼着部ｔ、ｔの間には、例えば図１９（イ）に示すように、融通部ｙとして折り返し部を形成することにより、両貼着部ｔ、ｔが相対移動することを許容する構成となっており、パネルＰの上下縁部の長手方向に沿って、パネルＰの上下縁部とそれに隣接する隣接物とに両貼着部ｔ、ｔが夫々貼着される構成となっている。尚、前記融通部ｙとしては、図１９（ロ）に示すように、断面が波板状に屈曲形成させる構成のもの等でもよい。
【００４５】
このようにして、貯留空間に穀物が貯留されることにより、その貯留される穀物による荷重が掛かり、パネルＰが貯留空間の内外方向に撓むことがあっても他のパネルＰや梁部材６との間での相対移動を許容するようにしながら、それらの間に隙間が発生して穀物が入り込んだりすることを有効に回避できるようにしている。
ところで、梁部材６の厚さはパネルＰの厚さよりも少し大きくなっているが、図２０に示すように、梁部材の角部分は円弧状に形成されて、穀物が堆積することなく下方に落下案内される構成としている。
【００４６】
そして、図１０、図２１に示すように、平面視で略四角形状に形成される周壁部の四隅の角部夫々において、その貯留空間の角部を非貯留状態にするために仕切る板状仕切り体９７が、隣接する壁部に亘る状態で、かつ、壁部の高さ方向全体に位置する状態で設けられている。従って、パネルＰと柱部材５との連結箇所が貯留空間と遮断されており穀物が存在しない領域となる。このような周壁部の四隅の角部は、その領域にも穀物を貯留できるようにすると、図２２に示すように、攪拌スクリュー１１による未攪拌域になってしまうので、上記したように仕切り板９７を設けて貯留空間と遮断することで攪拌されない領域に穀物が貯留されるのを未然に防止できることになる。
【００４７】
前記攪拌スクリュー１１による未攪拌域としては、平面視にて周壁部の四隅の角部に対応する個所だけでなく、図２３に示すように、側面視における下端側の角部においても攪拌されない領域が生じるので、上記縦方向の仕切り板９７と同様に、図２１に示すように、斜め姿勢の横方向の仕切り板９８を設けて、貯留空間と遮断することで攪拌されない領域に穀物が貯留されるのを未然に防止するようにしている。この仕切り板９８には、送風機３２による通流空気を通流させる通気孔９８ａが形成されている。
尚、図５、図１０に示すように、組み立て作業が終了した後に、点検用のハシゴＨａが設けられる。これは、この設備が使用された後に、例えば、床面の清掃等のメンテナンスや点検作業等を行うために作業者が昇降するためのものである。
【００４８】
〔別実施形態〕
次に別実施形態を説明する。
【００４９】
（１）上記の実施形態においては、前記シール手段が、金属製の帯板状で、且つ、幅方向の両端側に貼着部を備えかつ両貼着部の間にそれらが相対移動することを許容する融通部を備える状態に形成された帯状シートにて構成されるものを例示したが、このような構成に限らず、例えば、ゴムや他の合成樹脂材からなる伸縮自在な材質の材料を用いて両端側に貼着部を備えるシール部材でもよく、要するに、パネルの上下縁部と、それに隣接する隣接物としての梁部材又はパネルとの間を、それらが前記貯留空間の内外方向で相対移動することを許容する状態でシールする構成であればよく、その材質は限定されない。
【００５０】
（２）上記実施形態では、平面視にて四角形状の周壁部の角部に、貯留空間の角部を非貯留状態にするために仕切る板状仕切り体９７が設けられる構成としたが、このような仕切り板を設けない構成としてもよい。
【００５１】
（３）上記実施形態では、前記パネルの左右縁部を前記柱部材に連結するための締結手段として、前記パネルの左右縁部に設けたフランジ部と前記柱部材に設けたフランジ部とに亘り貫通装着されるネジ式締結具を用いて締結するように構成したが、このような構成に限らず、例えば、リベットで締結したり、あるいは、溶接で締結するなど各種の連結構成にて実施してもよい。
【００５２】
（４）上記実施形態においては、隣接配置された複数の貯留空間Ｄｉを備えて、それら隣接する貯留空間Ｄｉ同士で、柱と梁とパネルとを共用するようにしたが、このような形態に限るものではなく、種々の形態で構成することができる。例えば、単一の貯留空間を備えるようにしたり、あるいは、複数の貯留空間を隣接させない状態で備えるようにしてもよく、これらの場合には、上記柱部材等は共用されない。
【００５３】
（５）上記実施形態においては、隣接する前記柱部材の間に、複数の前記枠部分が、上下方向に並ぶ状態で、且つ、各枠部分において上下に並べて取り付け可能なパネル数を、上方側のものの方が下方側のものよりも多くなる状態で形成されて、それら枠部分の内部に、前記パネルが、上下方向に並ぶ状態で組付けられる構成としたが、各枠部分に同じ枚数のパネルを組み付けるようにしてもよく、あるいは、各枠部分に１枚づつパネルを組み付けるようにしてもよい。
【００５４】
（６）上記の実施形態においては、前記パネルとして同仕様のものを用いるようにしたが、例えば、前記補強材の枚数が異なるものや、上下方向の幅の互いに異なるもの等、異なる仕様のパネルを使用する構成としてもよい。
【図面の簡単な説明】
【図１】穀物処理設備の概略構成図
【図２】穀物乾燥貯留設備の斜視図
【図３】穀物乾燥貯留設備を示す図
【図４】貯留部の平面図
【図５】貯留ビンの斜視図
【図６】貯留部の正面図
【図７】パネルの正面図
【図８】パネルの断面図
【図９】連結構造を示す分解斜視図
【図１０】貯留ビンの横断平面図
【図１１】連結構造を示す図
【図１２】通風構成を示す斜視図
【図１３】床部の断面図
【図１４】排出モードにおける送風状態を示す図
【図１５】通風モードにおける送風状態を示す図
【図１６】攪拌装置の平面図
【図１７】攪拌装置の正面図
【図１８】シール状態を示す側面図
【図１９】シール状態を示す縦断面図
【図２０】シール状態を示す縦断面図
【図２１】貯留空間の角部の仕切構成を示す斜視図
【図２２】貯留空間の角部の仕切構成を示す平面図
【図２３】貯留空間の角部の仕切構成を示す側面図
【符号の説明】
５                    柱部材
６                    梁部材
７１，７７            フランジ部
７９                  ネジ式締結具
９７                  板状仕切り体
Ｐ                    パネル
Ｓ                    シール手段
ｔ                    貼着部
ｙ                    融通部
【図１】
0003585443.tif 000002
【図２】
0003585443.tif 000003
【図３】
0003585443.tif 000004
【図４】
0003585443.tif 000005
【図５】
0003585443.tif 000006
【図６】
0003585443.tif 000007
【図７】
0003585443.tif 000008
【図８】
0003585443.tif 000009
【図９】
0003585443.tif 000010
【図１０】
0003585443.tif 000011
【図１１】
0003585443.tif 000012
【図１２】
0003585443.tif 000013
【図１３】
0003585443.tif 000014
【図１４】
0003585443.tif 000015
【図１５】
0003585443.tif 000016
【図１６】
0003585443.tif 000017
【図１７】
0003585443.tif 000018
【図１８】
0003585443.tif 000019
【図１９】
0003585443.tif 000020
【図２０】
0003585443.tif 000021
【図２１】
0003585443.tif 000022
【図２２】
0003585443.tif 000023
【図２３】
0003585443.tif 000024